(57)【要約】【課題】可動演出部材上の電気部品に配線が接続された状態で、配線が駆動部品に巻き込まれず、配線が損傷しないように配置できる弾球遊技機を提供する。【解決手段】パチンコ遊技機１は、発光装置１１０が搭載された可動演出部材１０１を備え、可動演出部材１０１の外部から電力や電気信号を送るための配線２００が発光装置１１０に接続されている。この可動演出部材１０１に、配線２００が湾曲状に折り返されるように挿通される第１ガイド部３２０及び第２ガイド部３３０と、可動演出部材１０１が作動したときに、第１ガイド部３２０と第２ガイド部３３０の間の配線２００の撓みを増減させるのに要する可動演出部材１０１の裏面と略平行な方向の移動を許容しつつ、配線２００の可動演出部材１０１の裏面から後方へ離れる方向への移動を規制する第３ガイド部３１０とを備えている。【選択図】図５
2015033500.tif 000002
【特許請求の範囲】
【請求項１】
可動演出部材と、前記可動演出部材に設けられた電気部品と、を備え、
前記可動演出部材の外部から電力及び／又は電気信号を送るための配線が前記電気部品に接続された弾球遊技機において、
前記可動演出部材は、
前記配線が挿通される第１ガイド部及び第２ガイド部と、
前記第１ガイド部と前記第２ガイド部の間の前記配線の移動を規制する第３ガイド部と、
を備え、
前記第１ガイド部と前記第２ガイド部の間の前記配線が湾曲状に折り返されるように前記第１ガイド部及び前記第２ガイド部を設け、前記可動演出部材が作動したときに前記配線が前記第１ガイド部と前記第２ガイド部の間で撓みを増減させるように構成し、
前記第３ガイド部が、撓みを増減させるのに要する前記配線の所定方向の移動を許容しつつ、前記配線の前記所定方向と異なる方向への移動を規制することを特徴とする弾球遊技機。
【発明の詳細な説明】
【技術分野】
【０００１】
本発明は、弾球遊技機に関し、特に、遊技演出に合わせて作動する可動演出部材を備える弾球遊技機に関するものである。
【背景技術】
【０００２】
従来、パチンコ遊技機等の弾球遊技機には、駆動源の駆動力により遊技演出に合わせて作動する可動演出部材を備え、さらに当該可動演出部材上に発光装置や別の駆動源等の電気部品を備えているものがある（例えば、特許文献１参照。）。
【０００３】
このような弾球遊技機では、可動演出部材上の電気部品に電気信号や電力を送るための配線を、外部の電気部品と接続するようになっている。
【先行技術文献】
【特許文献】
【０００４】
【特許文献１】特開２００８−２００２１７号公報
【発明の概要】
【発明が解決しようとする課題】
【０００５】
しかしながら、前記したような従来の弾球遊技機では、可動演出部材の作動に伴って配線が動くことで、その配線が可動演出部材を駆動するための駆動部品等に巻き込まれる虞がある。このため、結束バンド等により配線を適宜に固定して配線の動きを規制することで、配線が駆動部品に巻き込まれない状態にすることが考えられる。しかし、このような方法では、可動演出部材の作動に伴って結束バンド等による配線の固定箇所に負荷が掛かって配線が損傷する虞があった。
【０００６】
本発明は、このような事情に鑑みてなされたものであり、可動演出部材上の電気部品に電気信号や電力を送るための配線が当該電気部品に接続された状態で、配線が駆動部品等に巻き込まれず、さらに配線が損傷しないように配置することができる弾球遊技機を提供することを目的とする。
【課題を解決するための手段】
【０００７】
かかる課題を解決するために、本発明の請求項１に記載の発明は、可動演出部材と、前記可動演出部材に設けられた電気部品と、を備え、前記可動演出部材の外部から電力及び／又は電気信号を送るための配線が前記電気部品に接続された弾球遊技機において、前記可動演出部材は、前記配線が挿通される第１ガイド部及び第２ガイド部と、前記第１ガイド部と前記第２ガイド部の間の前記配線の移動を規制する第３ガイド部と、を備え、前記第１ガイド部と前記第２ガイド部の間の前記配線が湾曲状に折り返されるように前記第１ガイド部及び前記第２ガイド部を設け、前記可動演出部材が作動したときに前記配線が前記第１ガイド部と前記第２ガイド部の間で撓みを増減させるように構成し、前記第３ガイド部が、撓みを増減させるのに要する前記配線の所定方向の移動を許容しつつ、前記配線の前記所定方向と異なる方向への移動を規制する弾球遊技機としたことを特徴とする。
【０００８】
請求項１に係る発明によれば、可動演出部材上の電気部品に電気信号や電力を送るための配線が当該電気部品に接続された状態で、配線が駆動部品等に巻き込まれず、さらに配線が損傷しないように配置することができる。
【図面の簡単な説明】
【０００９】
【図１】本発明の実施の形態におけるパチンコ遊技機の正面図である。
【図２】同パチンコ遊技機の遊技盤の正面図である。
【図３】同パチンコ遊技機の可動演出装置の正面図である。
【図４】同パチンコ遊技機の可動演出装置の裏面図である。
【図５】同パチンコ遊技機の可動演出装置から一部部品を取り外した状態の可動演出部材付近の斜視図である。
【図６】同パチンコ遊技機の可動演出装置の可動演出部材のみの裏面図である。
【図７】同パチンコ遊技機の可動演出装置の可動演出部材のみの右側面図である。
【図８】図７のＡ−Ａ断面図である。
【図９】同パチンコ遊技機の可動演出装置の可動演出部材付近の裏面図である。
【図１０】図９から一部部品を取り外した状態の可動演出部材付近の裏面図である。
【図１１】同パチンコ遊技機の可動演出装置に突出作動させたときの可動演出部材付近の裏面図である。
【図１２】図１１から一部部品を取り外した状態の可動演出部材付近の裏面図である。
【発明を実施するための形態】
【００１０】
以下、本発明の実施の形態における弾球遊技機として、パチンコ遊技機を例にして図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態におけるパチンコ遊技機全体の概略構成について、図１及び図２を用いて説明する。図１は、本発明の実施の形態におけるパチンコ遊技機の正面図であり、図２は、同パチンコ遊技機の遊技盤の正面図である。
【００１２】
本実施の形態におけるパチンコ遊技機１は、図１に示すように、外枠２、前枠３、窓枠４及び当該窓枠４に覆われた遊技盤６（図２）などを備えている。また、図示は省略するが、パチンコ遊技機１の裏面には、液晶ディスプレイ型の表示装置２０（図２）等の表示制御や可動演出装置１００（図２）及びＬＥＤなどの発光装置１１０（図３）等による遊技演出の制御を行う表示演出サブ制御基板等のサブ制御基板、入賞時におけるパチンコ遊技機１の動作等を含むパチンコ遊技機１の主要な動作を制御する主制御基板、遊技球の払い出し動作を制御する払出基板、各基板等に電源を供給する電源基板等の各種基板が取り付けられている。
【００１３】
具体的に、外枠２は、図１に示すように、パチンコホールの台島に設置されており、前後面が開口するように四角形状に形成されている。前枠３は、外枠２の前端面に左側辺部の垂直な軸を中心に回動可能に装着されている。また、図１に示すように、この前枠３には、窓枠４と、下皿ユニット５と、遊技盤６と、が取り付けられている。
【００１４】
窓枠４は前枠３の前面に装着されている。この窓枠４は前枠３と一体となって、前記した軸を中心に回動可能となっている。窓枠４の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、高音用のスピーカ１１がそれぞれ配設されている。また、窓枠４には複数の装飾ＬＥＤが配設されている。
【００１５】
下皿ユニット５は、図１に示すように、前枠３の下部であって窓枠４の下方に取り付けられている。この下皿ユニット５の中央部の左側には、上皿１０から溢れた遊技球が貯留される下皿１２が配設されている。また、下皿ユニット５の中央部の右側には、低音用のスピーカ１３が配設されている。また、下皿ユニット５の右部であって下皿１２の右方には、上皿１０に貯留された遊技球を後述する遊技領域６Ａに発射するための発射装置を遊技者が操作する操作ハンドル１４が配設されている。
【００１６】
遊技盤６は、図２に示すように、遊技球が転動する領域である遊技領域６Ａが形成される部材である。遊技盤６は、窓枠４の後方であって、正面視で前枠３の下部を除く略全面に渡って配置されている。なお、遊技盤６の遊技領域６Ａは、窓枠４の窓枠開口部７の後方に配置され、前方から透明板８を介して視認可能に構成されている。
【００１７】
この遊技盤６には、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘（図示省略）が打ち込まれており、発射通路６Ｄを通して遊技領域６Ａ内に放出された遊技球は、遊技釘に当りながら転動して遊技領域６Ａ内を流下し、最終的に後述する何れかの入賞口又は遊技領域６Ａの最下方に位置するアウト口６Ｅに入る転動遊技を行う。
【００１８】
遊技盤６における遊技領域６Ａのほぼ中央部には、図２に示すように、液晶ディスプレイ型の表示装置２０が設けられており、この表示装置２０を囲むように装飾枠２０Ｂが配設されている。また、表示装置２０は、大当り遊技状態を発生させるか否かの判定結果に基づき変動演出表示を行う広い面積の表示画面２０Ａを有している。
【００１９】
また、図２に示すように、表示装置２０と装飾枠２０Ｂとの間（ここでは表示装置２０の前方で装飾枠２０Ｂの左側方部と一部重なる後方側）には、可動演出部材１０１が電気的に作動する可動演出装置１００が配置されている。この可動演出装置１００は、表示装置２０の表示画面２０Ａで行われる変動演出表示などのパチンコ遊技機１の演出制御に応じて作動することで遊技の演出を行うようになっている。本実施の形態の可動演出装置１００は、怪獣や恐竜の手を模した可動演出部材１０１（図３）を有しており、後述する駆動部品によって、可動演出部材１０１が引込み状態と突出状態の間を左右方向にスライド移動するようになっている。具体的には、可動演出部材１０１が、突出状態から一の作動方向としての引込み作動方向Ｘ１（ここではパチンコ遊技機１の正面視左方向）に引込み作動したり、引込み状態から他の作動方向としての突出作動方向Ｘ２（ここではパチンコ遊技機１の正面視右方向）に突出作動したりするようになっている。なお、可動演出装置１００の構成及び作動の詳細については後述する。
【００２０】
また、図２に示すように、遊技領域６Ａ内において、装飾枠２０Ｂの下方には第１始動入賞口１５が配置されている。この第１始動入賞口１５は、遊技球が入賞することによって、遊技者に有利な大当り遊技状態を発生させるか否かの判定を行う起点となるものであり、上方に開口するポケット状に形成されている。
【００２１】
また、図２に示すように、第１始動入賞口１５の下方には、第２始動入賞口１６が配置されている。この第２始動入賞口１６は、開閉可能な一対の可動片１６Ａを備えており、可動片１６Ａが閉じているときには第２始動入賞口１６には遊技球が入賞しないようになっており、所定条件に基づいて可動片１６Ａが開放されると第２始動入賞口１６に遊技球が入賞可能となるものである。なお、第２始動入賞口１６は、可動片１６Ａが閉じているときには遊技球が入賞可能だが入賞し難くなっており、可動片１６Ａが開放されると遊技球が入賞し易くなるようになっていても良い。
【００２２】
また、図２に示すように、第１始動入賞口１５及び第２始動入賞口１６の右方には、第１大入賞口１７及び第２大入賞口１８が配置されている。このうち、第１大入賞口１７は、駆動装置により開閉する開閉蓋１７Ａを備えており、この開閉蓋１７Ａは、遊技状態が特定の大当り遊技状態になると可動し、その際には第１大入賞口１７が上方に向かってポケット状に幅広く開口し、多数の遊技球が同時かつ連続的に第１大入賞口１７に入賞可能となる。
【００２３】
また、図２に示すように、第２大入賞口１８は、別の駆動装置により開閉する開閉片１８Ａを備えており、この開閉片１８Ａは、遊技状態が所定の大当り遊技状態になると可動し、その際には第２大入賞口１８が上方に向かって開口し、遊技球が連続的に第２大入賞口１８に入賞可能となる。
【００２４】
また、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２５】
次に、本実施の形態における可動演出装置１００の構成及びその作動について、図３〜図１２を用いて説明する。図３，図４は、本発明の実施の形態におけるパチンコ遊技機１の可動演出装置１００の正面図，裏面図である。図５は、本発明の実施の形態におけるパチンコ遊技機１の可動演出装置１００から一部部品を取り外した状態の可動演出部材１０１付近の斜視図である。図６〜図８は、本発明の実施の形態におけるパチンコ遊技機１の可動演出装置１００の可動演出部材１０１のみの裏面図，右側面図，Ａ−Ａ断面図である。図９，図１０は、本発明の実施の形態におけるパチンコ遊技機１の可動演出装置１００の可動演出部材１０１付近の裏面図，一部部品を取り外した状態の裏面図である。図１１，図１２は、本発明の実施の形態におけるパチンコ遊技機１の可動演出装置１００に突出作動させたときの可動演出部材１０１付近の裏面図，一部部品を取り外した状態の裏面図である。
【００２６】
本実施の形態における可動演出装置１００は、ベース部材１０２に駆動部品が取り付けられており、可動演出部材１０１がこの駆動部品の一部に支持されると共に当該駆動部品を介して作動するように構成されている。また、図３，図４，図９に示すように、駆動部品は、駆動源としてのモータ１０３、リンク部材１０４、第１歯車１０５、第２歯車１０６、伸縮レール部材１０８等により構成されている。さらに、可動演出装置１００は、センサ１０７等が配置されている。
【００２７】
本実施の形態のベース部材１０２は、図３及び図４に示すように、種々の部材を取り付け、配置する部材であり、装飾枠２０Ｂの左側方の後方部に隠れるように当該装飾枠２０Ｂの形状に沿った略長細形状に形成されており、ネジ止め等により遊技盤６に固定されている。
【００２８】
また、本実施の形態の可動演出部材１０１は、図３に示すように、怪獣や恐竜の手を模した形状の部材であり、後述する伸縮レール部材１０８に取り付けられて、図９に示す状態から図１１に示す状態まで（図１０に示す状態から図１２に示す状態まで）、装飾枠２０Ｂの左側の引込み状態から右方（他の作動方向としての突出作動方向Ｘ２）に突出作動したり、図１１に示す状態から図９に示す状態まで（図１２に示す状態から図１０に示す状態まで）、突出状態から装飾枠２０Ｂの左側に向けて左方（一の作動方向としての引込み作動方向Ｘ１）に引込み作動したりしてスライド移動するものである。
【００２９】
また、本実施の形態の駆動源としてのモータ１０３は、図９及び図１１に示すように、可動演出部材１０１を作動させるための駆動源であり、ベース部材１０２の左裏側（裏面視右側）に配置されたステッピングモータである。また、図３及び図９に示すように、ベース部材１０２の表面側には、モータ１０３の駆動力を伝達する第１歯車１０５が第２歯車１０６と歯合するように配置されている。また、本実施の形態の第２歯車１０６の表面縁部には、遊技者側である表面側に突出した略円柱形状の第１突起１０６Ａが形成されており、第２歯車１０６の回動に応じて円弧状に移動するようになっている。
【００３０】
また、本実施の形態のリンク部材１０４は、図３，図５，図９，図１０に示すように、長細形状の板状部材であり、下端に設けられた軸１０４Ａを中心にベース部材に対して回動可能となっている。また、リンク部材１０４の長手方向の中心部付近には、長手方向に沿って第１長孔１０４Ｂが形成されており、リンク部材１０４の長手方向の上端付近には、長手方向に沿って第２長孔１０４Ｃが形成されている。
【００３１】
このうち、第１長孔１０４Ｂには、図３に示すように、第２歯車１０６の第１突起１０６Ａが摺動可能に挿入されており、モータ１０３の駆動力を受けて、第２歯車１０６が回動して第２突起１０６Ａが円弧状に移動して第１長孔１０４Ｂ内を摺動することに伴い、第２突起１０６Ａが第１長孔１０４Ｂの内壁を押して、リンク部材１０４が軸１０４Ａを中心に回動するようになっている。具体的には、モータ１０３が一方向に回転することにより、リンク部材１０４が軸１０４Ａを中心に、図９に示す状態から図１１に示す状態まで裏面視左方向（正面視右方向）に回転するようになっている。また、モータ１０３が逆方向に回転することにより、リンク部材１０４が軸１０４Ａを中心に、図１１に示す状態から図９に示す状態まで裏面視右方向（正面視左方向）に回転するようになっている。
【００３２】
また、第２長孔１０４Ｃには、図５，図９〜図１２に示すように、後述する伸縮レール部材１０８の先端レール部材１０８Ｃに固定された可動演出部材１０１の後述する裏面側に突出した略円柱形状の第２突起１０１Ａが摺動可能に挿入されている。
【００３３】
また、リンク部材１０４の第１長孔１０４Ｂ付近の左側には、図３，図５，図９〜１２に示すように、左方に突出した突出片１０４Ｄが形成されている。また、当該突出片１０４Ｄ付近のベース部材１０２には、図３，図９，図１１に示すように、突出片１０４Ｄを検出するためのフォトセンサ等のセンサ１０７が配置されている。そして、リンク部材１０４の突出状態から左方向（一の作動方向としての引込み作動方向Ｘ１）への移動によって、図３及び図９に示すように、突出片１０４Ｄが、センサ１０７の裏側（センサ１０７とベース部材１０２の間）に挿入されることで、可動演出部材１０１が右側の突出状態から引込み状態に到達したことを検知し、モータ１０３を停止するようになっている。
【００３４】
また、本実施の形態の伸縮レール部材１０８は、図１１に示すように、固定レール部材１０８Ａと中間レール部材１０８Ｂと先端レール部材１０８Ｃの３つの部材が左右方向にスライドして突出及び引込み可能に係合したものであり、固定レール部材１０８Ａがベース部材１０２に固定されている。また、先端レール部材１０８Ｃが可動演出部材１０１の裏面に固定されている。そして、図５，図９〜図１２に示すように、第２長孔１０４Ｃに第２突起１０１Ａが挿入された状態で、リンク部材１０４が軸１０４Ａを中心に回動することに伴い、図１０→図１２及び図１２→図１０に示すように、第２長孔１０４Ｃの内壁で第２突起１０１Ａを摺動させつつ左右方向に押すことになる。これにより、図９→図１１及び図１１→図９に示すように、ベース部材１０２に固定された固定レール部材１０８Ａと可動演出部材１０１に固定された先端レール部材１０８Ｃとその中間の中間レール部材１０８Ｂとが互いに左右方向にスライドし、可動演出部材１０１が左右方向（一の作動方向としての引込み作動方向Ｘ１及び他の作動方向としての突出作動方向Ｘ２）にスライド移動するようになっている。
【００３５】
また、本実施の形態の可動演出部材１０１には、図３，図５，図９に示すように、電気部品としての発光装置１１０が搭載されており、遊技の演出に応じて発光するようになっている。ここでは、可動演出部材１０１の爪を模した部分の内部に発光装置１１０としてＬＥＤ基板が配置されており、図４に示すように、可動演出部材１０１の外部にある前記したサブ制御基板（図示省略）からベース部材１０２を介して延びる所定の可撓性及び柔軟性を有する配線２００により、発光装置１１０に電気信号及び電力が供給されるようになっている。なお、可動演出部材１０１の手を模した部分全体に発光装置１１０が配置されていても良い。また、配線２００は、サブ制御基板に直に接続されておらず、可動演出部材１０１とサブ制御基板の電気的接続を中継する中継基板に接続されていても良い。また、この配線２００は、電気信号（制御信号）のみを送るものであっても良いし、電力のみを供給するものであっても良い。
【００３６】
具体的には、サブ制御基板や中継基板等からベース部材１０２を介して延びる配線２００は、図５に示すように、リンク部材１０４の裏面側の下端付近から当該リンク部材１０４内に設けられた配線挿通溝１０４Ｅに挿通され、当該配線挿通溝１０４Ｅの上端から可動演出部材１０１の裏面側に配設された第１ガイド部３２０、第３ガイド部３１０、第２ガイド部３３０を介して、配線２００の先端の配線側コネクタ２０１が、可動演出部材１０１の裏面側に配設された接続部としての発光装置側コネクタ１１１に接続されることで、表示演出サブ制御基板からの制御信号及び電源から供給される電力が、発光装置１１０に伝達されるようになっている。
【００３７】
ここで、第１ガイド部３２０，第２ガイド部３３０，第３ガイド部３１０について説明する。本実施の形態では、図５及び図６に示すように、可動演出部材１０１の裏面側における表面側から見えない位置に配置されて第１ガイド部３２０及び第２ガイド部３３０が形成された板状突出部３０１と、同じく可動演出部材１０１の裏面側における表面側から見えない位置に配置された第３ガイド部３１０とを備えている。
【００３８】
このうち、板状突出部３０１は、図５及び図６に示すように、可動演出部材１０１における裏面から裏面側に突出した形状の略板状の部位であり、その一側である裏面視右側に第１ガイド部３２０、他側である裏面視左側に第２ガイド部３３０を備えている。これら第１ガイド部３２０及び第２ガイド部３３０は、板状突出部３０１に四角形状の挿通孔（切れ目がない形状の挿通孔）が形成されたものであり、後述する第３ガイド部３１０の同一側に設けられ（ここでは第３ガイド部３１０の下側に設けられている）、かつ、同一方向を向くように形成されている（ここでは双方が上下方向を向くように形成されている）。
【００３９】
そして、第１ガイド部３２０及び第２ガイド部３３０は、例えば、配線２００を第１ガイド部３２０の下方から上方に挿通させると共に第２ガイド部３３０の上方から下方に挿通させることで、当該第１ガイド部３２０と第２ガイド部３３０の間の配線２００が湾曲状に折り返されるようになっており、可動演出部材１０１が作動したときに配線２００が第１ガイド部３２０と第２ガイド部３３０の間で撓みを増減させるように、配線２００を遊挿させている。
【００４０】
なお、第１ガイド部３２０及び第２ガイド部３３０は、その間の配線２００が湾曲状に折り返されて、その撓みが可動演出部材１０１の作動で増減可能なものであれば、その挿通孔の形状が円形状等の切れ目がない適宜の形状であっても良い。さらに、第１ガイド部３２０及び第２ガイド部３３０は、配線２００を前記したようにガイドすることが可能であれば、切れ目のある、例えば断面視コ字状のような形状の挿通孔であっても良いし、孔以外のもの（例えば、棒状や板状の突出部材からなるもの）であっても良い。また、板状突出部３０１は、可動演出部材１０１と一体に形成されていても、可動演出部材１０１と別体で形成されていても良い。
【００４１】
また、第３ガイド部３１０は、第１ガイド部３２０と第２ガイド部３３０の間の配線２００の移動を規制するものである。具体的には、可動演出部材１０１の作動により撓みを増減させるのに要する配線２００の所定方向（ここでは、可動演出部材１０１の裏面と略平行な方向）の移動を許容しつつ、配線２００の所定方向と異なる方向（ここでは、可動演出部材１０１の裏面と略平行な方向以外の方向、すなわち、配線２００が可動演出部材１０１の裏面から後方へ離れる方向）への移動を規制するものである。
【００４２】
本実施の形態の第３ガイド部３１０は、図５及び図６に示すように、略直方体形状の部材であり、第１ガイド部３２０及び第２ガイド部３３０の上方である可動演出部材１０１の裏面側の上部に配置されている。この第３ガイド部３１０は、裏面側は完全に覆われているが、上下左右については、上部に上方壁部３１３、裏面視左部に左側方壁部３１４を有して覆っている一方、裏面視右部は右側方開口部３１１、下部は下方開口部３１２を有していて開放された状態となっている。
【００４３】
そして、リンク部材１０４の配線挿通溝１０４Ｅの上端から延びる配線２００は、裏面視右側の第１ガイド部３２０に下方から上方に挿通させた後、第３ガイド部３１０内で所定の湾曲形状を形成して反対方向に折り返されるように当該第３ガイド部３１０に挿通され、第１ガイド部３２０と同一側である第３ガイド部３１０の下側に設けられた裏面視左側の第２ガイド部３３０に上方から下方に挿通させて、先端の配線側コネクタ２０１を発光装置側コネクタ１１１に接続するようになっている。その際、第１ガイド部３２０及び第２ガイド部３３０では、配線２００がその軸線方向に出入り可能となるように配置され、かつ、前後左右方向を所定の幅で規制するようになっている。その規制する幅は、後述するように第３ガイド部３１０内において配線２００が大きな湾曲状態Ｗ１及び当該撓みの大きな湾曲状態Ｗ１よりも湾曲状態の小さい小さな湾曲状態Ｗ２を形成したときに、配線２００が遊技者側から見えなくなり（又は見え難くなり）、かつ、配線２００に余計な負荷が掛からない状態となるような幅に、それぞれの挿通孔が形成される。
【００４４】
また、本実施の形態の可動演出部材１０１の裏面側における第２ガイド部３３０と発光装置側コネクタ１１１の間には所定の距離を有しており、さらに、第２ガイド部３３０から出て配線側コネクタ２０１が発光装置側コネクタ１１１に繋がる配線２００を規制してガイドする配線ガイド部材１０１Ｂが配置されている。この配線ガイド部材１０１Ｂは、裏面側に立設されたリブ状部材であり、上下方向の細長形状に形成されている。そして、本実施の形態では、配線２００が配線ガイド部材１０１Ｂの裏面視右側を通るように構成されており、配線２００が裏面視左側に不必要に折れ曲がることを防止している。
【００４５】
また、第２ガイド部３３０と発光装置側コネクタ１１１の間に所定の距離を有していることで、第２ガイド部３３０から出た配線２００が、所定の距離だけ略直線状態を保持することができ、配線側コネクタ２０１部分の配線２００に負荷が掛かり難くなっている（直線状態がない又は短いと、第３ガイド部３１０内に収容される配線２００が短めに収容された状態となったときに、配線側コネクタ２０１部分からすぐに配線２００が折れ曲がる場合があり、配線側コネクタ２０１に負荷が掛かり易い）。
【００４６】
次に、本実施の形態の可動演出装置１００の作用について説明する。まず、可動演出部材１０１が、図９及び図１０に示すような引込み状態から図１１及び図１２に示すような突出状態に移動する際（突出作動方向Ｘ２に移動する際）作用について説明する。
【００４７】
可動演出部材１０１が引込み状態にある可動演出装置１００に対し、表示演出サブ制御基板から、可動演出部材１０１を突出作動方向（他の作動方向）Ｘ２に移動させる指示が出された場合には、モータ１０３が所定のステップ数だけ一方向に回転する。このとき、第２歯車１０６の第１突起１０６Ａが、挿入された第１長孔１０４Ｂ内を摺動しつつ裏面視左方向（正面視右方向）にリンク部材１０４を押し、これによりリンク部材が軸１０４Ａを中心にして裏面視左方向に回転する。
【００４８】
これに伴い、リンク部材１０４の第２長孔１０４Ｃの内壁により、当該第２長孔１０４Ｃに挿入された可動演出部材１０１の第２突起１０１Ａを摺動させつつ裏面視左方向に押す。その結果、伸縮レール部材１０８の先端レール部材１０８Ｃに固定された可動演出部材１０１が、伸縮レール部材１０８の各部材１０８Ａ〜１０８Ｃのスライドと共に裏面視左方向にスライド移動する。
【００４９】
このとき、引込み状態において、ベース部材１０２から配線挿通溝１０４Ｅの上端を介して、第１ガイド部３２０、第３ガイド部３１０、第２ガイド部３３０に挿通され、第３ガイド部３１０内で撓みの大きな湾曲状態Ｗ１（図９及び図１０）を形成していた配線２００が、可動演出部材１０１の突出作動に伴ってベース部材１０２側（外部側）に引張られる。これにより、第３ガイド部３１０内に配線２００が短めに収容された状態となり、第３ガイド部３１０内の湾曲状態が撓みの小さな湾曲状態Ｗ２（図１１及び図１２）に変化する。この際、配線２００は、引込み状態において予め撓みの大きな湾曲状態Ｗ１を形成していたため、無理にベース部材１０２側に引張られることはない。
【００５０】
次に、可動演出部材１０１が、図１１及び図１２に示すような突出状態から図９及び図１０に示すような引込み状態に移動する際（引込み作動方向Ｘ１に移動する際）の作用について説明する。
【００５１】
可動演出部材１０１が突出状態にある可動演出装置１００に対し、表示演出サブ制御基板から、可動演出部材１０１を引込み作動方向（一の作動方向）Ｘ１に移動させる指示が出された場合には、モータ１０３が所定のステップ数だけ突出作動方向（他の作動方向）のときとは逆方向に回転する。このとき、第２歯車１０６の第１突起１０６Ａが、挿入された第１長孔１０４Ｂ内を摺動しつつ裏面視右方向（正面視左方向）にリンク部材１０４を押し、これによりリンク部材が軸１０４Ａを中心にして裏面視右方向に回転する。
【００５２】
これに伴い、リンク部材１０４の第２長孔１０４Ｃの内壁により、当該第２長孔１０４Ｃに挿入された可動演出部材１０１の第２突起１０１Ａを摺動させつつ裏面視右方向に押す。その結果、伸縮レール部材１０８の先端レール部材１０８Ｃに固定された可動演出部材１０１が、伸縮レール部材１０８の各部材１０８Ａ〜１０８Ｃのスライドと共に裏面視右方向にスライド移動する。
【００５３】
このとき、突出状態において、ベース部材１０２から配線挿通溝１０４Ｅの上端を介して、第１ガイド部３２０、第３ガイド部３１０、第２ガイド部３３０に挿通され、第３ガイド部３１０内で撓みの小さな湾曲状態Ｗ２（図１１及び図１２）を形成していた配線２００が、可動演出部材１０１の引込み作動に伴ってベース部材１０２側（外部側）の配線２００が余ることにより、第１ガイド部３２０を通って第３ガイド部３１０内に引き込まれる。これにより、第３ガイド部３１０内に配線２００が長めにある状態となり、第３ガイド部３１０内の湾曲状態が撓みの大きな湾曲状態Ｗ１（図９及び図１０）に変化する。この際、第３ガイド部３１０は、配線２００が第３ガイド部３１０内に撓みの大きな湾曲状態Ｗ１で充分挿通できるように構成されているため、遊技者側から配線２００が見えてしまうことはなく、かつ、無理に折れ曲がることもない。
【００５４】
また、第３ガイド部３１０内の配線２００が撓みの大きな湾曲状態Ｗ１になったときに、配線２００が可動演出部材１０１の裏面に略平行な方向以外の方向、すなわち可動演出部材１０１の裏面から後方に離れる方向に撓もうとしても、第３ガイド部３１０で当該方向を覆っていることで、配線２００が可動演出部材１０１の裏面から離れる方向に撓むことを防止している。配線２００が可動演出部材１０１の裏面から離れる方向に撓むと、当該可動演出部材１０１を駆動させる駆動部品に配線２００が巻き込まれ易くなるが、第３ガイド部３１０でこれを防止している。
【００５５】
なお、第１ガイド部３２０や第２ガイド部３３０等の配線２００が軸線方向に摺動する箇所の配線２００が当接する部位は、配線２００が摺動しても当該配線２００が擦り切れないように、角部をなくしてＲ状部に形成する等の構成を有している。
【００５６】
以上のように、本実施の形態のパチンコ遊技機（弾球遊技機）１は、可動演出部材１０１と、前記可動演出部材１０１に設けられた発光装置（電気部品）１１０と、を備え、前記可動演出部材１０１の裏側を配線２００が通って前記可動演出部材１０１の外部から電力や電気信号を送るための配線２００が前記発光装置（電気部品）１１０に接続されたパチンコ遊技機（弾球遊技機）１において、前記可動演出部材１０１は、前記配線２００が挿通される第１ガイド部３２０及び第２ガイド部３３０と、前記第１ガイド部３２０と前記第２ガイド部３３０の間の前記配線２００の移動を規制する第３ガイド部３１０と、を備え、前記第１ガイド部３２０と前記第２ガイド部３３０の間の前記配線２００が湾曲状に折り返されるように前記第１ガイド部３２０及び前記第２ガイド部３３０を設け、前記可動演出部材１０１が作動したときに前記配線２００が前記第１ガイド部３２０と前記第２ガイド部３３０の間で撓みを増減させるように構成し、前記第３ガイド部３１０が、撓みを増減させるのに要する前記配線２００の可動演出部材１０１の裏面と略平行な方向（所定方向）の移動を許容しつつ、前記配線２００の可動演出部材１０１の裏面から後方へ離れる方向（前記所定方向と異なる方向）への移動を規制するパチンコ遊技機（弾球遊技機）１としたことを特徴とする。
【００５７】
そして、本実施の形態によれば、可動演出部材１０１の裏側に第１ガイド部３２０と第２ガイド部３３０と第３ガイド部３１０を備え、外部のサブ制御基板又は中継基板と接続された配線２００が、第１ガイド部３２０を介して第３ガイド部３１０内に出入り可能に挿通され、第２ガイド部３３０を介して発光装置（電気部品）１１０の発光装置側コネクタ（接続部）１１１に接続されるようになっており、可動演出部材１０１の作動に伴って配線２００が第３ガイド部３１０内で湾曲状態の大小を変化させるようになっているため、可動演出部材１０１上の発光装置（電気部品）１１０に電気信号や電力を送るための配線２００が当該発光装置（電気部品）１１０に接続された状態で、配線２００が駆動部品等に巻き込まれず、配線２００を遊技者から見えない又は見え難い状態にして見栄えを良くすることができ、さらに配線２００が損傷しないように配置することができる。
【００５８】
なお、以上説明した実施の形態は、本発明の理解を容易にするために記載されたものであって、本発明を限定するために記載されたものではない。
【００５９】
例えば、前記した実施の形態では、パチンコ遊技機を用いて説明したが、これに限るものではなく、本発明は、雀球遊技機やアレンジボール等の他の弾球遊技機にも適用可能である。
【００６０】
また、前記した実施の形態では、可動演出部材１０１は、引込み状態で装飾枠２０Ｂの左側（左側と一部重なる位置）に配置されていたが、本発明はこれに限るものではない。例えば、表示装置の右側方や上方、下方等の他の位置に配置されている可動演出部材に、本発明の第１〜第３ガイド部が設けられていても良い。また、左側方と右側方の２箇所に可動演出部材が配置されていてこれらにそれぞれ本発明の第１〜第３ガイド部が設けられている等、複数の可動演出部材に第１〜第３ガイド部が設けられている構成となっていても良い。
【００６１】
また、前記した実施の形態では、可動演出部材１０１が駆動部品によってスライド移動するようになっており、このスライド移動に伴って配線２００の弛みが大きくなったり小さくなったりするものであったが、本発明はこれ以外の可動演出部材にも適用可能である。例えば、可動演出部材が回動するのに伴って配線の弛みの大小が変化する等、適宜の作動に伴って配線の弛みの大小が変化する構成の可動演出部材に適用することができる。
【００６２】
また、前記した実施の形態では、外部のサブ制御基板等に接続された配線２００が、第１ガイド部３２０を通って第３ガイド部３１０内に挿通され、それから第２ガイド部３３０を通って発光装置（電気部品）１１０の発光装置側コネクタ（接続部）１１１に接続するようになっていたが、これに限るものではない。これとは逆に、発光装置（電気部品）１１０側に接続された配線２００が、第２ガイド部３３０を通って第３ガイド部３１０内に挿通され、それから第１ガイド部３２０を通って、外部のサブ制御基板等まで延出して接続されるようになっていても良い。すなわち、配線２００は第１ガイド部３２０側と第２ガイド部３３０側のどちらから挿通するようになっていても良く、本発明は双方の場合に適用可能である。
【００６３】
また、前記した実施の形態では、下方に第１ガイド部３２０と第２ガイド部３３０を備え、その上方に上方壁部３１３と左側方壁部３１４を備えた第３ガイド部３１０を備えていたが、これに限るものではなく、第１ガイド部と第２ガイド部が下方以外に形成されていても良い。例えば、第１ガイド部と第２ガイド部が同じ右側方に形成されていた場合には、第３ガイド部がその左側方に配置され、第３ガイド部の壁が９０度回転した位置である左側方と下方に設置される、という構成でも良い。また、第３ガイド部は前記した実施の形態のように、隣同士に壁部を備えたもの以外でも良く、例えば、上部と下部に壁部を備えてその間を覆っているもの（すなわち、右側と左側には壁部がない状態）であっても良い。つまり、第１ガイド部と第２ガイド部と第３ガイド部とで、第３ガイド部内に挿通された配線が湾曲状態を形成でき、可動演出部材の後方に撓むことを防止できるようになっていれば良い。また、第３ガイド部の壁部で配線が可動演出部材の外部に飛び出ないようになっていれば、より好ましい。
【００６４】
また、前記した実施の形態では、第３ガイド部３１０と、当該第３ガイド部３１０と別体の２つのガイド部（第１ガイド部３２０及び第２ガイド部３３０）を有する構成となっていたが、これに限るものではない。例えば、第３ガイド部と２つのガイド部は一体に形成されていても良い（すなわち、第３ガイド部の縁部に２つのガイド部が形成されている等）。
【００６５】
また、前記した実施の形態では、第１ガイド部３２０と第２ガイド部３３０が１つの板状突出部３０１に形成されていたが、これに限るものではなく、第１ガイド部と第２ガイド部が別の部材で構成されていても良い。すなわち、第１〜第３ガイド部が全て異なる部材で構成されていたも良いし、第１〜第３ガイド部が全て一体に形成されていても良いし、第１〜第３ガイド部のうちの２つだけ（第１ガイド部と第２ガイド部、第１ガイド部と第３ガイド部、第２ガイド部と第３ガイド部の何れか）が一体に形成されていても良い。
【００６６】
また、第１ガイド部と第２ガイド部とが同一側に形成されていなくても良く、第１ガイド部と第２ガイド部の間の配線が湾曲状に折り返されるようにできれば、第１ガイド部と第２ガイド部とが異なる側（例えば、第３ガイド部の下側と右側等）に形成されていても良い。
【００６７】
また、１つの配線をガイドするために、第１〜第３ガイド部の構成を連続して２つ備えていても良い。この場合には、例えば、まず、第３ガイド部の下側に設けられた第１ガイド部に挿通された配線が第３ガイド部で湾曲状態（上側に湾曲する状態）に挿通されて第１ガイド部と同じ下側に設けられた第２ガイド部から出るように構成された第１の構成部を有する。さらに、第１の構成部とは逆向きに配置された第２の構成部を有する。すなわち、第２の構成部は、第３ガイド部の上側に設けられた第１ガイド部に挿通された配線が第３ガイド部で湾曲状態（下側に湾曲する状態）に挿通されて第１ガイド部と同じ上側に設けられた第２ガイド部から出るように構成されている。そして、この第１の構成部の第２ガイド部と第２の構成部の第１ガイド部が相対しており、第１の構成部の第２ガイド部から出た配線が、そのまま第２の構成部の第１ガイド部に挿通される、というように構成されていても良い。つまり、第１の構成部と第２の構成部を通った配線が、双方のガイド部により略Ｎ字状に収容されるパターンである。
【００６８】
また、前記した実施の形態では、配線２００として複数の丸形単芯ケーブルを使用していたが、これに限るものではなく、配線は１本のケーブルであっても複数のケーブルであっても良い。また、配線の種類についても、フラットケーブル等の異なる種類のケーブルを使用しても良い。
【符号の説明】
【００６９】
１…パチンコ遊技機（弾球遊技機）、１０１…可動演出部材、１１０…発光装置（電気部品）、２００…配線、３１０…第３ガイド部、３２０…第１ガイド部、３３０…第２ガイド部
【図１】
2015033500.tif 000003
【図２】
2015033500.tif 000004
【図３】
2015033500.tif 000005
【図４】
2015033500.tif 000006
【図５】
2015033500.tif 000007
【図６】
2015033500.tif 000008
【図７】
2015033500.tif 000009
【図８】
2015033500.tif 000010
【図９】
2015033500.tif 000011
【図１０】
2015033500.tif 000012
【図１１】
2015033500.tif 000013
【図１２】
2015033500.tif 000014